【手続補正書】
【提出日】平成17年12月7日(2005.12.7)
【手続補正１】
【補正対象書類名】特許請求の範囲
【補正対象項目名】全文
【補正方法】変更
【補正の内容】
【特許請求の範囲】
【請求項１】
第１の波長で最大限の吸光度を有する第１の発色団および第２の波長で最大限の吸光度を有する第２の発色団を含んでいるサンプル溶液を供給する工程、
電磁線に前記サンプル溶液を露光する工程、
各発色団によって前記電磁線の吸光度を測定する工程、
前記第１の発色団が除かれ、前記サンプル溶液における発色団と等しい濃度の第２の発色団を含んでいる基準溶液を電磁線に露光する工程、
前記基準溶液の吸光度を測定する工程、
および前記基準溶液と前記サンプル溶液の測定した吸光度に基いて前記サンプル溶液の容量を決定する工程
を具備している液体の容量の検量方法。
【請求項２】
稀釈剤で前記サンプル溶液を稀釈する工程を具備している請求の範囲１の方法。
【請求項３】
前記稀釈剤が基準溶液であることを特徴とする請求の範囲２の方法。
【請求項４】
前記サンプル溶液の容量を決定する工程が、修正要素を含む工程を含み、該修正要素は、該サンプル溶液の重量に基いて該サンプル溶液の容量を計算すること、及び該サンプル溶液の重量から計算された容量と測定された吸光度から決定された容量とを比較することで得られることを特徴とする請求の範囲１の方法。
【請求項５】
前記第２の発色団が銅塩化物及び硫酸銅から選ばれる化合物を含む可溶銅塩であることを特徴とする請求の範囲１の方法。
【請求項６】
前記サンプル溶液が更に、前記可溶銅塩用のＥＤＴＡを含むキレート剤、及びフタル酸化合物を含むｐＨ緩衝液を含み、且つ、前記第１の発色団が、アマランス（Amaranth）、ポンソーエス（Ponceau S）、及びアシッドレッド１（Acid Red 1）から選ばれる化合物であることを特徴とする請求の範囲５の方法。
【請求項７】
前記第１の発色団及び前記第２の発色団の一方又は両方として、吸光度の減少した温度依存性を示す発色団を選択する工程を具備していることを特徴とする請求の範囲１の方法。
【請求項８】
前記決定する工程の前に前記第１の発色団及び前記第２の発色団の温度を測定する工程を具備し、前記決定する工程に前記第１の発色団と前記第２の発色団の温度依存性に関する修正要素を含む請求の範囲１の方法。
【請求項９】
複数のサンプル溶液を提供し、各々は前記第１の発色団の固有の濃度を有し、
該複数のサンプル溶液が複数の液溜めプレートに提供され、
且つ、前記決定する工程が該液溜めプレートの各液溜めに前記サンプル溶液の容量を決定することを含んでいる請求の範囲１の方法。
【請求項１０】
前記複数のサンプル溶液の容量は、該複数のサンプル溶液のそれぞれの測定された吸光度、前記基準溶液の測定された吸光度、及び０．５パーセント以上でない正確性のレベルに前記複数の液溜めプレートの各液溜めの少なくともひとつの寸法の測定することから決定される請求の範囲９の方法。
【請求項１１】
前記サンプル溶液がサンプルホルダーに含有され、前記電磁線に露光する工程が前記サンプル溶液と前記サンプルホルダーの壁のメニスカスの間に８０度から１００度までの接触角を維持することを含んでいる請求の範囲１の方法。
【請求項１２】
前記維持の工程が要求する接触角を保つために濃度において前記サンプル溶液に塩を供給することを含んでいる請求の範囲１１の方法。
【請求項１３】
各液溜めが透明な底を有する請求の範囲１１の方法。
【請求項１４】
前記露光する工程が前記透明な底を通して前記電磁線を向けていることを含んでいる請求の範囲１３の方法。
【請求項１５】
測定した吸光度を格納するためのコンピュータ実行ソフトウェアを利用する工程を具備し、該ソフトウェアは該測定した吸光度から容量を計算する請求の範囲１の方法。
【請求項１６】
電磁線を放射し、検出する分光光度計と、複数のサンプル溶液を含有し、前記電磁線にサンプル溶液を露光するための複数の液溜めプレートと、第１の波長で最大限の吸光度を有する第１発色団および第２の波長で最大限の吸光度を有する第２の発色団を含んでいる複数のサンプル溶液の各々と、少なくとも第１の発色団の固有の濃度を有する各サンプル溶液と、
および第１の発色団が除かれ、前記サンプル溶液における発色団に等しい濃度で前記第２の発色団を含んでいる別個の基準溶液
とを具備する液体容量の検量システム。
【請求項１７】
複数のサンプル溶液と、各サンプル溶液は第１の波長で最大限の吸光度を有する第１の発色団および第２の波長で最大限の吸光度を有する第２の発色団を含み、且つ少なくとも第１の発色団が特徴ある濃度を有し、
複数のサンプル溶液を含有し、電磁線にサンプル溶液を露光するための複数の液溜めプレートと、複数の液溜めプレートの各々の液溜めの少なくとも１つの寸法は０．５パーセント以上でない誤差のレベルである幅寸法を有し、
および第１の発色団が除かれ、前記サンプル溶液における発色団に等しい濃度で前記第２の発色団を含んでいる別個の基準溶液
とを具備するシステム。
【請求項１８】
前記複数のサンプル溶液の１以上が濃縮されたサンプル溶液であり、更に電磁線に露光したときに該濃縮されたサンプル溶液を稀釈するための稀釈剤を含み、前記稀釈された１以上の濃縮されたサンプル溶液は、第１の波長で０．５センチメートルの幅において０．１から３までの範囲でピーク吸光度を有している前記第１の発色団を含むことを特徴とする請求の範囲１７のシステム。
【請求項１９】
前記第２の発色団が第２の波長で０．５センチメートルの幅において０．１から１．５までの範囲でピーク吸光度を有している請求の範囲１７のシステム。
【請求項２０】
第２の分光光度計で第１の分光光度計を検量する検量盤であって、第１の検量溶液セットを含む複数の容器を有する検量盤と、
第１の波長で最大限の吸光度を有する第１の発色団および第２の波長で最大限の吸光度を有する第２の発色団を含んでいる第２のサンプル溶液のセットと、
第１の分光光度計において使用する複数のサンプル溶液を含有する複数の液溜めプレートと、
第１の発色団が除かれ、サンプル溶液における発色団に等しい濃度で第２の発色団を含んでいる別個の基準溶液
とを具備しているシステム。
【請求項２１】
複数の液溜めプレートを供給し、
知られていない容量を有し、複数の液溜めプレートの液溜めに含有したサンプル溶液を供給し、
サンプル溶液と液溜めのメニスカス間に８０度から１００度の接触角で、サンプル溶液における１以上の発色団、塩および緩衝液の濃度によって決定される接触角を維持し、
電磁線にサンプル溶液を露光し、
発色団の吸光度を測定し、
および測定した吸光度と発色団の濃度に基いて溶液の容量を決定する
液体の容量を決定する方法。
【請求項２２】
吸光度の光度読取と、サンプル溶液における発色団の濃度と、読取りが行われるサンプルホルダーの幅寸法と、および読取りのランベルト・ベールの法則から非線形性の定量化とに基くサンプル溶液の液体の容量を検量するためのコードをコンピュータ読取り可能な媒体に格納するコンピュータ実行ソフトウェアコード。
【請求項２３】
第２の分光光度計で第１の分光光度計を検量することで使用する検量盤であって、第１の検量溶液セットを含有する複数の容器を有する検量盤。
【請求項２４】
前記検量盤が中立濃度のガラスフィルターを有している請求の範囲２３の検量盤。
【請求項２５】
各検量溶液が第１の波長で最大限の吸光度を有する第１の発色団を含む請求の範囲２３の検量盤。
【請求項２６】
前記各検量溶液が第２の波長で最大限の吸光度を有する第２の発色団を備え、少なくとも第１の発色団の特徴ある濃度を有する各検量溶液である請求の範囲２３の検量盤。
【請求項２７】
検量溶液がサンプル溶液として類似のピーク吸光度の場所と幅を有する請求の範囲２３の検量盤。
【請求項２８】
第１の発色団が第１の波長で０．５センチメートルの幅で０．１から３までの範囲でピーク吸光度を有する請求の範囲２５の検量盤。
【請求項２９】
第２の発色団が第２の波長で０．５センチメートルの幅で０．１から１．５までの範囲でピーク吸光度を有する請求の範囲２６の検量盤。
【請求項３０】
各検量溶液が、メチルスルホキシド、イソプロパノール、メタノール、プロピレングリコール、及びエチレングリコールから選ばれる少なくともひとつの非凍結剤を具備する請求の範囲２３の検量盤。